(57)【要約】【課題】支軸部材を刈取部フレームの横向き軸芯近くに設けても、刈取部の縦向き軸芯周りでの姿勢変更時に、刈取部フレームの曲げ強度を確保し易く、刈取部の姿勢もふらつきにくいようにする。【解決手段】刈取部５を刈取部フレーム９で横向き軸芯Ｘ周りで上下揺動自在に支持し、刈取部フレームの一端側を縦向き軸芯Ｐ周りで揺動自在に支持する支軸部材２１を一体回動するように設けて、刈取部フレームとその駆動揺動機構との連動を解除した状態で、刈取部を刈取作業姿勢と開放姿勢とに姿勢変更可能に支持し、刈取部を姿勢変更時に所定揺動範囲の中間位置に保持する保持手段２９を設けたコンバインであって、刈取部フレームの横向き軸芯よりも機体前方側のフレーム部位３０と支軸部材２１の横向き軸芯Ｘよりも下方の支軸部位３１とに亘って斜め方向に架設される圧縮支持杆３２を装脱自在に設けて保持手段を構成してある。【選択図】　　　　図１１
2004113084.tif 000002
【特許請求の範囲】
【請求項１】
脱穀部を搭載してある走行本機の前部に、植立穀稈を刈り取って前記脱穀部に搬送供給する刈取部を配置し、
前記刈取部を機体幅方向の横向き軸芯周りで上下揺動自在に支持する刈取部フレームを設けるとともに、前記刈取部フレームを前記横向き軸芯周りで所定揺動範囲に亘って駆動揺動させる駆動揺動機構を前記刈取部フレームとの連動を解除自在に設け、
前記刈取部フレームの機体幅方向の一端側を縦向き軸芯周りで揺動自在に支持する支軸部材をその刈取部フレームと一体に回動するように設けて、前記駆動揺動機構と前記刈取部フレームとの連動を解除した状態で、前記刈取部を、前記走行本機の前方に位置する刈取作業姿勢と前記走行本機の前方を開放する開放姿勢とに亘って前記縦向き軸芯周りで姿勢変更可能に支持し、
前記刈取部の前記縦向き軸芯周りでの姿勢変更時に、前記刈取部を前記所定揺動範囲の中間位置に保持する保持手段を設けてあるコンバインであって、
前記刈取部フレームの前記横向き軸芯よりも機体前方側に離れたフレーム部位と前記支軸部材の前記横向き軸芯よりも下方に離れた支軸部位とに亘って斜め方向に架設される圧縮支持杆を装脱自在に設けて、前記保持手段を構成してあるコンバイン。
【請求項２】
前記圧縮支持杆の両端部を、前記フレーム部位と前記支軸部位とに対して、その圧縮支持杆の長手方向から装脱自在に嵌合するように構成してある請求項１記載のコンバイン。
【発明の詳細な説明】
【０００１】
【発明の属する技術分野】
本発明は、脱穀部を搭載してある走行本機の前部に、植立穀稈を刈り取って前記脱穀部に搬送供給する刈取部を配置し、前記刈取部を機体幅方向の横向き軸芯周りで上下揺動自在に支持する刈取部フレームを設けるとともに、前記刈取部フレームを前記横向き軸芯周りで所定揺動範囲に亘って駆動揺動させる駆動揺動機構を前記刈取部フレームとの連動を解除自在に設け、前記刈取部フレームの機体幅方向の一端側を縦向き軸芯周りで揺動自在に支持する支軸部材をその刈取部フレームと一体に回動するように設けて、前記駆動揺動機構と前記刈取部フレームとの連動を解除した状態で、前記刈取部を、前記走行本機の前方に位置する刈取作業姿勢と前記走行本機の前方を開放する開放姿勢とに亘って前記縦向き軸芯周りで姿勢変更可能に支持し、前記刈取部の前記縦向き軸芯周りでの姿勢変更時に、前記刈取部を前記所定揺動範囲の中間位置に保持する保持手段を設けてあるコンバインに関する。
【０００２】
【従来の技術】
上記コンバインは、走行本機の前部を作業性良くメンテナンスできるように、刈取部を刈取作業姿勢と開放姿勢とに亘って縦向き軸芯周りで姿勢変更可能に支持したものであるが、刈取部を縦向き軸芯周りで姿勢変更する際に、駆動揺動機構と刈取部フレームとの連動を解除しておく必要があるので、刈取部が低い位置に下がってしまい、そのまま刈取部を縦向き軸芯周りで姿勢変更すると、畦際などに接触するおそれがある。
そこで、このような事態を防止できるように、刈取部を所定揺動範囲の中間位置に保持する保持手段を設けてある。
従来の保持手段は、刈取部フレームの横向き軸芯よりも機体前方側に離れた位置に下向き面を設けるとともに、支軸部材の横向き軸芯よりも下方に離れた位置に、刈取部フレームの下向き面に対して上下方向に対向する上向き面を設け、刈取部の縦向き軸芯周りでの姿勢変更時に、駆動揺動機構で刈取部フレームを上向きに駆動揺動させて、刈取部フレームの下向き面と支軸部材の上向き面との間にブロック状のロック部材を挟み込んでから、駆動揺動機構と刈取部フレームとの連動を解除して、刈取部を所定揺動範囲の中間位置に保持するようにしている（　例えば、特許文献１参照）　。
【０００３】
【特許文献１】
特開２００２−９５３３５号公報　（　段落番号［００２５］〜［００２７］，図１３）
【０００４】
【発明が解決しようとする課題】
このため、刈取部フレームの機体幅方向の一端側を簡略な構造で縦向き軸芯周りで揺動自在に支持できるように、支軸部材を刈取部フレームに対して横向き軸芯近くで一体に回動するように設けるほど、ロック部材を挟み込む位置が横向き軸芯に近接するので、駆動揺動機構と刈取部フレームとの連動を解除した状態で、ロック部材を刈取部フレームの下向き面と支軸部材の上向き面との間に挟み込んで刈取部を所定揺動範囲の中間位置に保持すると、刈取部が片持ち状に大きくオーバーハングし、刈取部の縦向き軸芯周りでの姿勢変更時に、刈取部フレームに大きな曲げモーメントが発生して曲げ強度を確保しにくいとともに、刈取部の姿勢がふらつき易い欠点がある。
本発明は上記実情に鑑みてなされたものであって、刈取部フレームの機体幅方向の一端側を簡略な構造で縦向き軸芯周りで揺動自在に支持できるように、支軸部材を刈取部フレームに横向き軸芯近くで一体に回動するように設けても、刈取部の縦向き軸芯周りでの姿勢変更時に、刈取部フレームの曲げ強度を確保し易く、刈取部の姿勢もふらつきにくいようにすることを目的とする。
【０００５】
【課題を解決するための手段】
請求項１記載の発明の特徴構成は、脱穀部を搭載してある走行本機の前部に、植立穀稈を刈り取って前記脱穀部に搬送供給する刈取部を配置し、前記刈取部を機体幅方向の横向き軸芯周りで上下揺動自在に支持する刈取部フレームを設けるとともに、前記刈取部フレームを前記横向き軸芯周りで所定揺動範囲に亘って駆動揺動させる駆動揺動機構を前記刈取部フレームとの連動を解除自在に設け、前記刈取部フレームの機体幅方向の一端側を縦向き軸芯周りで揺動自在に支持する支軸部材をその刈取部フレームと一体に回動するように設けて、前記駆動揺動機構と前記刈取部フレームとの連動を解除した状態で、前記刈取部を、前記走行本機の前方に位置する刈取作業姿勢と前記走行本機の前方を開放する開放姿勢とに亘って前記縦向き軸芯周りで姿勢変更可能に支持し、前記刈取部の前記縦向き軸芯周りでの姿勢変更時に、前記刈取部を前記所定揺動範囲の中間位置に保持する保持手段を設けてあるコンバインであって、前記刈取部フレームの前記横向き軸芯よりも機体前方側に離れたフレーム部位と前記支軸部材の前記横向き軸芯よりも下方に離れた支軸部位とに亘って斜め方向に架設される圧縮支持杆を装脱自在に設けて、前記保持手段を構成してある点にある。
【０００６】
〔作用及び効果〕
刈取部の縦向き軸芯周りでの姿勢変更時には、駆動揺動機構で刈取部フレームを上向きに駆動揺動させて、刈取部フレームの横向き軸芯よりも機体前方側に離れたフレーム部位と、支軸部材の横向き軸芯よりも下方に離れた支軸部位とに亘って、圧縮支持杆を斜め方向に架設してから、駆動揺動機構と刈取部フレームとの連動を解除して、刈取部を所定揺動範囲の中間位置に保持できるので、刈取部フレームの機体幅方向の一端側を簡略な構造で縦向き軸芯周りで揺動自在に支持できるように、支軸部材を刈取部フレームに横向き軸芯近くで一体に回動するように設けても、刈取部のオーバーハングを少なくすることができ、刈取部の縦向き軸芯周りでの姿勢変更時に、刈取部フレームの曲げ強度を確保し易く、刈取部の姿勢もふらつきにくい。
【０００７】
請求項２記載の発明の特徴構成は、前記圧縮支持杆の両端部を、前記フレーム部位と前記支軸部位とに対して、その圧縮支持杆の長手方向から装脱自在に嵌合するように構成してある点にある。
【０００８】
〔作用及び効果〕
刈取部の縦向き軸芯周りでの姿勢変更時には、駆動揺動機構で刈取部フレームを上向きに駆動揺動させて、圧縮支持杆の長手方向の一端部をフレーム部位と支軸部位との一方の部位に嵌合し、他端部を残りの部位に対向させながら、刈取部フレームを自重で、或いは、駆動揺動機構で下向きに揺動させることにより、圧縮支持杆の両端部をフレーム部位と支軸部位とに対して嵌合させて、圧縮支持杆を斜め方向に架設できる。
従って、ボルトやピンなどの固定具を特に使用することなく、圧縮支持杆を外れ止め状態でフレーム部位と支軸部位とに亘って斜め方向に簡便に架設できる。
【０００９】
【発明の実施の形態】
以下に本発明の実施の形態を図面に基づいて説明する。
図１〜図３は本発明に係るコンバインの一例を示し、脱穀部１と前方に突出する搭乗運転部２とを左右に搭載し、かつ、クローラ走行装置３を備えた走行本機４の前部に、植立穀稈を刈り取って脱穀部１に搬送供給する刈取部５を、搭乗運転部２の左右一側に配置してある。
【００１０】
前記刈取部５は、植立穀稈を引起し装置６で引き起こしたのち株元を切断装置７で切断して、搬送装置８で脱穀部１のフィードチェーン１ａに搬送供給するもので、刈取部５を機体幅方向の横向き軸芯Ｘ周りで上下揺動自在に支持する刈取部フレーム９と、刈取部フレーム９を横向き軸芯Ｘ周りで所定揺動範囲に亘って上下に駆動揺動させる駆動揺動機構１０とを設けて、刈取部５を駆動揺動自在に設け、刈取部５の未刈側に分草装置３５を設けてある。
【００１１】
前記分草装置３５は、引起し装置６の前端部近くからクローラ走行装置３の後端部近くに亘って設けた分草杆３６を、刈取部５の横側部に前後に分草杆支持部３７に前後向き軸芯Ｙ周りで回動自在に支持して、機体横側方に張り出した分草作用姿勢と機体側に引き寄せた格納姿勢と切り換え自在に設けてある。
【００１２】
前記分草杆３６は、分草杆支持部３７から横向き軸芯Ｘ近くに亘る筒状の前部分草杆部分３６ａと、横向き軸芯Ｘ近くからクローラ走行装置３の後端部近くに亘る筒状の後部分草杆部分３６ｂとに分割し、図１２に示すように、後部分草杆部分３６ｂの先端側に設けた嵌合軸部材３９を、前部分草杆部分３６ａの後端側に設けた嵌合孔４０に嵌合して、前部分草杆部分３６ａの貫通孔４３に挿通した蝶ボルト４１を嵌合軸部材３９のネジ孔３８に螺合することにより、後部分草杆部分３６ｂを着脱自在に設けてある。
【００１３】
前記刈取部フレーム９は、図４〜図６に示すように、走行本機４の本機フレーム１２に立設した刈取部支持フレーム１３に横向き軸芯Ｘ周りに回転自在に支持してある横向き筒状フレーム９Ａに、横向き軸芯Ｘに直交する方向で機体前方側下方に向けた前後向き筒状フレーム９Ｂを一体に接続して構成してあり、横向き筒状フレーム９Ａと前後向き筒状フレーム９Ｂとを内部が連通するように接続して、刈取部５の伝動機構１４の伝動ケースに兼用してある。
【００１４】
前記刈取部支持フレーム１３は、本機フレーム１２に左右の支持構造体１５Ｒ，１５Ｌを固定するとともに、左右の支持構造体１５Ｒ，１５Ｌどうしを補強フレーム１６で連結して構成してあり、図７に示すように、横向き筒状フレーム９Ａの機体幅方向で搭乗運転部２側の端部を支持構造体１５Ｒに設けた揺動開閉自在な軸受け部１７に回転自在に支持し、横向き筒状フレーム９Ａの他端側の端部を支持構造体１５Ｌに設けた刈取部ホルダ１８に回転自在に支持してある。
【００１５】
前記軸受け部１７は、図７に示すように、支持構造体１５Ｒの上部に、横向き筒状フレーム９Ａを機体前方側への相対的移動を許容する状態で載置支持するホルダ１９を一体形成するとともに、このホルダ１９に載置した横向き筒状フレーム９Ａの載置・離脱を許容する開放揺動姿勢と、ホルダ１９に載置した横向き筒状フレーム９Ａの脱落を阻止する閉塞姿勢とに揺動開閉自在な締付具２０を設けて構成してある。
【００１６】
前記刈取部ホルダ１８は、支持構造体１５Ｌに縦向き軸芯Ｐ周りに回動自在に支持した支軸部材２１の上部に一体に固定してあり、この刈取部ホルダ１８で支軸部材２１と刈取部フレーム９とが一体に回動するように設けて、刈取部フレーム９の機体幅方向の一端側を縦向き軸芯Ｐ周りで揺動自在に支持してある。
【００１７】
前記支軸部材２１は、図８に示すように、支持構造体１５Ｌに自転自在に挿通してその下端部を本機フレーム１２に載置して荷重を支持させて、縦向き軸芯Ｐ周りに自転自在に支持してあり、支軸部材２１の下端に形成した小径部２２を本機フレーム１２に自転自在に嵌め込み、その支軸部材２１の上端近くを支持構造体１５Ｌの天板２３に自転自在に挿通させて、支軸部材２１を倒れ止めし、支軸部材２１には、天板２３の下面にスライド自在に接当して、刈取部５が刈取り作業姿勢にある刈取り作業位置での支軸部材２１の前後倒れを防止する前後一対の倒れ止め２１ａをボルト止めしてある。
【００１８】
また、刈取り部ホルダ１８に付設したロックピン２４を支持構造体１５Ｌの天板２３に形成してあるロック孔２５に自重で落とし込み挿入させることにより、刈取部５の縦向き軸芯Ｐ周りでの揺動を規制して、刈取部５を刈取作業姿勢の刈取作業位置と開放姿勢のメンテナンス作業位置とに択一的に固定するロック機構２６を設けてある。
【００１９】
前記駆動揺動機構１０は、本機フレーム１２と、前後向き筒状フレーム９Ｂとの間に介在させた油圧シリンダ１１への圧油供給に伴い刈取部５をその重量に抗して上昇させ、油圧シリンダ１１からの排油に伴い刈取部５をその重量で下降させるように構成してあり、図９に示すように、油圧シリンダ１１と前後向き筒状フレーム９Ｂとを連結している連結ピン２７を外すことにより、刈取部フレーム９との連動を解除自在に設けてある。
【００２０】
そして、油圧シリンダ１１と前後向き筒状フレーム９Ｂとを連結している連結ピン２７を外して、駆動揺動機構１０と刈取部フレーム９との連動を解除し、かつ、伝動機構１４におけるミッションケースからの動力を入力プーリ２８に伝動する伝動ベルトを外すとともに、軸受け部１７の締付具２０を開放揺動姿勢に切り換えて、刈取部５を、図２に示すように、走行本機４の前方に位置する刈取作業姿勢と、図３に示すように、後部分草杆部分３６ｂが邪魔にならないように前部分草杆部分３６ａから外しておいて、走行本機４の前方を開放する開放姿勢とに亘って縦向き軸芯Ｐ周りで姿勢変更可能に支持し、図１１に示すように、刈取部５の縦向き軸芯Ｐ周りでの姿勢変更時に、刈取部５を所定揺動範囲の中間位置に保持する保持手段２９を設けてある。
【００２１】
前記保持手段２９は、図１１に示すように、刈取部フレーム９の横向き軸芯Ｘよりも機体前方側に離れたフレーム部位３０と、支軸部材２１の横向き軸芯Ｘよりも下方に離れた支軸部位３１とに亘って斜め方向に架設される圧縮支持杆３２を装脱自在に設けて構成してある。
【００２２】
前記圧縮支持杆３２は、その両端部に嵌合用凹入部３３を長手方向外方側に向けて開口するように形成してあり、フレーム部位３０と支軸部位３１との各々に嵌合用凸部３４を一体に設けて、図１１（　イ）　に示すように、駆動揺動機構１０で刈取部フレーム９を上向きに駆動揺動させて、圧縮支持杆３２の一方の端部に形成した凹入部３３をフレーム部位３０又は支軸部位３１に設けた凸部３４に嵌合し、他方の端部に形成した凹入部３３を残りの部位に設けた凸部３４に対向させながら、刈取部フレーム９を自重で下向きに揺動させることにより、図１１（　ロ）　に示すように、圧縮支持杆３２の両端部を、フレーム部位３０に設けた凸部３４と支軸部位３１に設けた凸部３４とに対して、その圧縮支持杆３２の長手方向から嵌合させて、圧縮支持杆３２を刈取部５の自重で外れ止めした状態で斜め方向に架設できるようにしてある。
【００２３】
〔その他の実施形態〕
１．本発明によるコンバインに設ける保持手段は、圧縮支持杆の一端側をフレーム部位又は支軸部位に上下揺動自在に連結しておき、刈取部の縦向き軸芯周りでの姿勢変更時に、圧縮支持杆の他端側を残りの部位に連結するように構成して、フレーム部位と支軸部位とに亘って斜め方向に架設される圧縮支持杆を装脱自在に設けてあっても良い。
２．本発明によるコンバインに設ける保持手段は、圧縮支持杆の両端部に嵌合用凸部を形成し、フレーム部位と支軸部位との各々に嵌合用凹部を一体に設けて、圧縮支持杆の両端部を、フレーム部位と支軸部位とに対して、その圧縮支持杆の長手方向から装脱自在に嵌合するように構成してあっても良い。
３．本発明によるコンバインに設ける保持手段は、圧縮支持杆の両端部をフレーム部位と支軸部位とに対して連結ピンなどで連結して、圧縮支持杆を装脱自在に設けてあっても良い。
【図面の簡単な説明】
【図１】コンバインの側面図
【図２】コンバインの平面図
【図３】刈取部を開放姿勢に姿勢変更した状態のコンバインの平面図
【図４】刈取作業姿勢の刈取部要部の正面図
【図５】刈取作業姿勢の刈取部要部の平面図
【図６】刈取作業姿勢の刈取部要部の一部断面平面図
【図７】要部の一部断面側面図
【図８】要部の一部断面側面図
【図９】要部の側面図
【図１０】開放姿勢の刈取部要部の平面図
【図１１】要部の一部断面側面図
【図１２】要部の説明図
【符号の説明】
１　　脱穀部
４　　走行本機
５　　刈取部
９　　刈取部フレーム
１０　駆動揺動機構
２１　支軸部材
２９　保持手段
３０　フレーム部位
３１　支軸部位
３２　圧縮支持杆
Ｐ　　縦向き軸芯
Ｘ　　横向き軸芯
【図１】
2004113084.tif 000003
【図２】
2004113084.tif 000004
【図３】
2004113084.tif 000005
【図４】
2004113084.tif 000006
【図５】
2004113084.tif 000007
【図６】
2004113084.tif 000008
【図７】
2004113084.tif 000009
【図８】
2004113084.tif 000010
【図９】
2004113084.tif 000011
【図１０】
2004113084.tif 000012
【図１１】
2004113084.tif 000013
【図１２】
2004113084.tif 000014